(57)【要約】【課題】新たな遊技性を提供する。【解決手段】第１当たり抽選に当選すると、第１所定時間だけガイド板３０がガイド位置に移動され、大入賞口２２の前方を流下する遊技球が大入賞口２２へ向けて案内される。また、第２当たり抽選に当選すると、第２所定時間だけ開閉板３２が開き位置に移動され、大入賞口２２へ遊技球を入賞させることが可能となる。このため、第１当たり抽選に当選した後、第１所定時間が経過する前に第２当たり抽選に当選した場合、及び、第２当たり抽選に当選した後、第２所定時間が経過する前に第１当たり抽選に当選した場合、大量の賞球を得ることができる。【選択図】図２
2009225907.tif 000002
【特許請求の範囲】
【請求項１】
第１始動入賞口、第２始動入賞口、大入賞口が形成された遊技領域と、遊技球が前記第１始動入賞口へ入賞した際に、抽選により当たりまたはハズレを決定する第１当たり抽選手段と、遊技球が前記第２始動入賞口へ入賞した際に、抽選により当たりまたはハズレを決定する第２当たり抽選手段とを備えるとともに、遊技球が前記大入賞口へ入賞した場合に、賞球として遊技球の払い出しを行うパチンコ機において、
前記大入賞口への遊技球の入賞を許容する許容位置と、前記大入賞口への遊技球の入賞を阻止する阻止位置との間で移動自在に設けられた第１、第２の２つの移動部材と、
前記第１当たり抽選手段により当たりが決定された際に、前記第１移動部材を阻止位置から許容位置へ移動させる第１移動部材制御手段と、
前記第２当たり抽選手段により当たりが決定された際に、前記第２移動部材を阻止位置から許容位置へ移動させる第２移動部材制御手段とを備えたことを特徴とするパチンコ機。
【請求項２】
前記第１、第２の移動部材のうち一方は、許容位置では前記大入賞口を露呈させ、阻止位置では前記大入賞口を覆うとともに、
前記第１、第２の移動部材のうち他方は、許容位置では前記遊技領域内に突出し、前記大入賞口近傍の遊技球を前記大入賞口へ向けて案内し、阻止位置では前記許容位置から退避し、前記案内を中止することを特徴とする請求項１記載のパチンコ機。
【発明の詳細な説明】
【技術分野】
【０００１】
本発明は、パチンコ店などの遊技場で用いられるパチンコ機に関するものである。
【背景技術】
【０００２】
パチンコ機では、発射ハンドルを操作すると発射装置から遊技球が発射され、発射された遊技球が遊技領域に打ち出される。遊技領域には始動入賞口が設けられ、遊技球がこの始動入賞口に入賞すると、当たり抽選が行われて当たりまたはハズレが決定される。そして、当たりとなると大入賞口が開放され、ここに遊技球を入賞させることで大量の賞球を獲得することができる。
【０００３】
また、パチンコ機の中には、第１、第２の２つの始動入賞口を設け、第１始動入賞口に遊技球が入賞したとき、及び、第２始動入賞口に遊技球が入賞したときに当たり抽選を行うのもある（下記特許文献１、２、３参照）。このようなパチンコ機では、第１始動入賞口へ遊技球が入賞したときと、第２始動入賞口へ遊技球が入賞したときとで、当たりとなる確率を変化させたり、各始動入賞口へ遊技球が入賞したタイミングによって当たりとなる確率を変化させるなどして遊技性に幅を持たせることができる。
【特許文献１】特開２００７−０７５１６５
【特許文献２】特開２００７−０９７９６６
【特許文献２】特開２００７−２３６５４０
【発明の開示】
【発明が解決しようとする課題】
【０００４】
しかしながら、従来のパチンコ機は、当たりモードとなると大入賞口が開放されるだけであるので、当たりとなった後の遊技性が乏しいといった問題があった。
【０００５】
本発明は、上記背景を鑑みてなされたものであり、当たりとなった後の遊技性に幅を持たせることのできるパチンコ機を提供することを目的としている。
【課題を解決するための手段】
【０００６】
上記目的を達成するために、本発明のパチンコ機は、第１始動入賞口、第２始動入賞口、大入賞口が形成された遊技領域と、遊技球が前記第１始動入賞口へ入賞した際に、抽選により当たりまたはハズレを決定する第１当たり抽選手段と、遊技球が前記第２始動入賞口へ入賞した際に、抽選により当たりまたはハズレを決定する第２当たり抽選手段とを備えるとともに、遊技球が前記大入賞口へ入賞した場合に、賞球として遊技球の払い出しを行うパチンコ機において、前記大入賞口への遊技球の入賞を許容する許容位置と、前記大入賞口への遊技球の入賞を阻止する阻止位置との間で移動自在に設けられた第１、第２の２つの移動部材と、前記第１当たり抽選手段により当たりが決定された際に、前記第１移動部材を阻止位置から許容位置へ移動させる第１移動部材制御手段と、前記第２当たり抽選手段により当たりが決定された際に、前記第２移動部材を阻止位置から許容位置へ移動させる第２移動部材制御手段とを備えたことを特徴としている。
【０００７】
前記第１、第２の移動部材のうち一方は、許容位置では前記大入賞口を露呈させ、阻止位置では前記大入賞口を覆うとともに、前記第１、第２の移動部材のうち他方は、許容位置では前記遊技領域内に突出し、前記大入賞口近傍の遊技球を前記大入賞口へ向けて案内し、阻止位置では前記許容位置から退避し、前記案内を中止するものでもよい。
【発明の効果】
【０００８】
本発明によれば、第１始動入賞口へ遊技球が入賞した際に抽選により当たりハズレを決定する第１当たり抽選手段と、第２始動入賞口へ遊技球が入賞した際に抽選により当たりハズレを決定する第２当たり抽選手段と、大入賞口への入賞を許容する許容位置、大入賞口への入賞を阻止する阻止位置の間で移動自在の第１、第２の２つの移動部材とを設け、第１当選役決定手段により当たりが決定された場合、第１移動部材を阻止位置から許容位置へ移動させ、第２当選役決定手段により当たりが決定された場合、第２移動部材を許容位置へ移動させるようにした。このため、第１当たり抽選手段、または、第２当たり抽選手段のいずれか一方でのみ当たりが決定された場合よりも、これら第１、第２当たり抽選手段の両方で当たりとなった場合の方が、大入賞口へ遊技球が入賞し易くなるといった新たな遊技性を提供できる。
【発明を実施するための最良の形態】
【０００９】
図１に示すように、パチンコ機１０は、遊技盤１２を備えている。遊技盤１２の盤面上には遊技領域１４が形成されており、遊技者の発射操作に応答して打ち出された遊技球はこの遊技領域１４を流下する。遊技領域１４には、第１始動入賞口１６、第２始動入賞口１８、液晶ディスプレイ２０、が設けられている。
【００１０】
第１始動入賞口１６、第２始動入賞口１８は、上下に並べて配置されている。第１、第２始動入賞口１６、１８は、ともに上面が開口しており、この開口から遊技球が入賞するようになっている。第１始動入賞口１６は、常時、遊技球が入賞できるようになっている。他方、第２始動入賞口１８の近傍には、開き位置（図１に実線で示す位置）と閉じ位置（図１に破線で示す位置）との間で回動する一対の可動片２３、２４が設けられており、第２始動入賞口１８へは、この可動片２３、２４が開き位置に移動している間にのみ遊技球が入賞できるようになっている。可動片２３、２４は、通常は閉じ位置に保持されており、スルーチャッカ２６を遊技球が通過した際に実行される開放抽選に当選した際に、所定態様で開放される（所定時間だけ開き位置に移動した後、閉じ位置に戻る。または、この動作を所定回数繰り返す）。
【００１１】
第１始動入賞口１６、または、第２始動入賞口１８に遊技球が入賞すると、予め設定された個数の遊技球が賞球として払い出される。また、第１始動入賞口１６、または、第２始動入賞口１８に遊技球が入賞すると、当たりまたはハズレを決定する当たり抽選が行われる。液晶ディスプレイ２０は、当たり抽選の実行に伴って図柄の変動表示を行い、この変動表示後に停止表示する図柄の組合せによって当たり抽選の結果を報知する。
【００１２】
図２（Ａ）〜（Ｄ）に示すように、大入賞口２２は、遊技盤１２を貫通するように設けられた矩形の開口からなり、第１、第２始動入賞口１６、１８のさらに下方に配置されている。大入賞口２２に遊技球が入賞すると賞球の払い出しが行われる。大入賞口２２は、第１、第２始動入賞口１６、１８よりも、遊技球が入賞した際に払い出される賞球の個数が多く設定されており、遊技者は、大入賞口２２に遊技球を入賞させることで大量の賞球を得ることができる。
【００１３】
また、パチンコ機１０では、大入賞口２２の下部にガイド板（第１移動部材）３０が設けられ、大入賞口２２の上部に開閉板（第２移動部材）３２が設けられている。ガイド板３０は、大入賞口２２の下端と平行な回転軸３０ａを備え、この回転軸３０ａを中心に回動自在に設けられている。そして、ガイド板３０は、モータ（またはソレノイド）を含む周知の駆動機構（図示せず）により駆動され、ガイド位置（許容位置）と、ガイド中止位置（阻止位置）との間を移動する。
【００１４】
ガイド位置は、図２（Ｂ）、同図（Ｄ）に示すように、ガイド板３０が斜め上方を向き、遊技球を大入賞口２２へ向けて案内する（遊技球が大入賞口２２へ入賞することを許容する）位置である。また、ガイド中止位置は、図２（Ａ）、同図（Ｃ）に示すように、ガイド板３０が下方を向き、前記案内を中止する位置（遊技球が大入賞口２２へ入賞することを阻止する位置）である。
【００１５】
開閉板３２は、上下にスライド自在に設けられている。そして、開閉板３２は、モータ（またはソレノイド）を含む周知の駆動機構（図示せず）により駆動され、開き位置（許容位置）と、閉じ位置（阻止位置）との間を移動する。開き位置は、図２（Ｃ）、同図（Ｄ）に示すように、大入賞口２２を開放して、遊技球が大入賞口２２へ入賞することを許容する位置である。また、閉じ位置は、図２（Ａ）、同図（Ｂ）に示すように、大入賞口２２を閉口し、遊技球が大入賞口２２へ入ることを阻止する位置である。
【００１６】
図３に示すように、パチンコ機１０の内部には、制御部４０が設けられており、パチンコ機１０の各部と接続されている。制御部４０には、ＲＯＭ４２、ＲＡＭ４４が設けられている。ＲＯＭ４２には、遊技の実行及び進行を制御するための制御プログラムや各種設定情報が記憶されている。ＲＡＭ４４は、作業用メモリであり、遊技の実行及び進行を制御する際に必要なデータが一時的に記憶される。制御部４０は、ＲＯＭ４２に記憶された制御プログラムや各種設定情報をＲＡＭ４４に読み出して接続された各部を駆動制御する。
【００１７】
チャッカセンサ４６は、遊技球がスルーチャッカ２６を通過したことを検知して検知信号を出力する。第１始動入賞センサ４８は、遊技球が第１始動入賞口１６に入賞したことを検知して検知信号を出力する。第２始動入賞センサ５０は、遊技球が第２始動入賞口１８に入賞したことを検知して検知信号を出力する。大入賞センサ５２は、遊技球が大入賞口２２へ入賞したことを検知して検知信号を出力する。
【００１８】
制御部４０は、遊技球がスルーチャッカ２６を通過したことが検知されると、開放抽選部５４を作動し、開放抽選を実行させる。そして、開放抽選に当選した場合は、可動片２３、２４を駆動し、所定態様で開閉させる。また、制御部４０は、第１始動入賞口１６、第２始動入賞口１８、大入賞口２２のいずれかに遊技球が入賞したことが検知されると、払い出し装置（図示せず）を作動させ、入賞した入賞口に対応付けされた個数の遊技球を払い出す払い出し処理を行う。
【００１９】
また、制御部４０には、ガイド板制御部（第１移動部材制御手段）５５、開閉板制御部（第２移動部材制御手段）５６が設けられている。制御部４０は、第１始動入賞口１６へ遊技球が入賞したことが検知されると、第１当たり抽選部（第１当たり抽選手段）５７を作動させ、当たり抽選を実行させる（以下、第１当たり抽選部５７が行う当たり抽選を「第１当たり抽選」と称する）。そして、ガイド板制御部５５は、この第１当たり抽選に当選した（第１当たり抽選により当たりが決定された）場合、ガイド板３０を駆動し、ガイド停止位置からガイド位置に移動させ、ガイド位置に所定時間（以下、第１所定時間と称する）保持した後、再びガイド停止位置に移動させる。
【００２０】
さらに、制御部４０は、第２始動入賞口１８へ遊技球が入賞したことが検知されると、第２当たり抽選部（第２当たり抽選手段）５８を作動させ、当たり抽選を実行させる（以下、第２当たり抽選部５８が行う当たり抽選を「第２当たり抽選」と称する）。そして、開閉板制御部５６は、この第２当たり抽選に当選した（第２当たり抽選により当たりが決定された）場合、開閉板３２を駆動し、閉じ位置から開き位置へと移動させ、開き位置に所定時間（以下、第２所定時間と称する）保持した後、再び閉じ位置に移動させる。
【００２１】
以下、上記構成による本発明の作用について説明する。図４に示すように、パチンコ機１０では、遊技球が第１始動入賞口１６へ入賞した際に行われる第１当たり抽選に当選すると、ガイド板３０が第１所定時間だけガイド位置に移動される。また、図５に示すように、パチンコ機１０では、遊技球が第２始動入賞口１８へ入賞した際に行われる第２当たり抽選に当選すると、開閉板３２が第２所定時間だけ開き位置に移動される。
【００２２】
第１当たり抽選にのみ当選した場合、ガイド板３０がガイド位置に移動されるので、大入賞口２２の前方へ流下してきた遊技球が大入賞口２２へ向けて案内されるが、開閉板３２が閉じ位置に移動されているので、大入賞口２２に遊技球を入賞させることができない（図２（Ｂ）参照）。また、第２当たり抽選にのみ当選した場合、開閉板３２が開き位置に移動されるので大入賞口２２へ遊技球を入賞させることが可能となるが、ガイド板３０がガイド停止位置に移動されているので、仮に、大入賞口２２の前方へ遊技球が流下してきても大入賞口２２へ入賞する確率が低い（図２（Ｃ）参照）。
【００２３】
一方、第１当たり抽選に当選した後、第１所定時間が経過する前に第２当たり抽選に当選した場合、第１所定時間が経過するまでの間、ガイド板３０がガイド位置に移動され、かつ、開閉板３２が開き位置に移動された状態となる。このため、この間は、大入賞口２２の前方へ流下してきた遊技球のほぼ全てが大入賞口２２へと入賞するので、大量の賞球を得ることが可能となる（図２（Ｄ）参照）。同様に、第２当たり抽選に当選した後、第２所定時間が経過する前に第１当たり抽選に当選した場合、第２所定時間が経過するまでの間、ガイド板３０がガイド位置に移動され、かつ、開閉板３２が開き位置に移動された状態となる。このため、この間は、大入賞口２２の前方へ流下してきた遊技球のほぼ全てが大入賞口２２へと入賞するので、大量の賞球を得ることが可能となる（図２（Ｄ）参照）。
【００２４】
このように、パチンコ機１０では、第１、第２当たり抽選の一方に当選したことによる効果が持続している間に、他方に当選することで大量の賞球を得ることができるといった新たな遊技性を提供できる。
【００２５】
なお、本発明は、第１、第２当たり抽選のいずれか一方にのみ当選した場合よりも、第１、第２当たり抽選の両方に当選した場合に、より多くの賞球を得られる構成であればよいので、細部の構成は上記実施形態に限定されず適宜変更できる。例えば、第１当たり抽選と第２当たり抽選の当選確率は、それぞれ自由に設定できるので、第１、第２当たり抽選の当選確率を同じにしてもよいし、異ならせてもよい。
【００２６】
また、例えば、第１所定時間と第２所定時間は、それぞれ自由に設定できるので、第１、第２所要時間を同じにしてもよいし、異ならせてもよい。さらに、第１時間中、ガイド板がガイド位置に保持される例で説明をしたが、第１時間中、ガイド板をガイド位置とガイド停止位置との間を繰り返し移動させてもよい。もちろん、第２所定時間中、開閉板を繰り返し開閉させてもよい。
【００２７】
また、第１所定時間が経過した際に、ガイド板をガイド停止位置に戻す例で説明をしたが、これ以外の条件を満たした際にガイド板をガイド位置に戻してもよい。この場合、例えば、開閉板が開き位置に移動されるまで待ち、この後、開閉板が閉じ位置に戻されると同時にガイド板をガイド停止位置に戻すといったことや、予め定められた時間が経過する毎に抽選を行って、この抽選でハズレであった場合に、ガイド板をガイド停止位置に戻すなどといったことが考えられる。
【００２８】
同様に、第２所定時間が経過した際に、開閉板を閉じ位置に戻す例で説明をしたが、これ以外の条件を満たした際に開閉板を閉じ位置に戻してもよい。この場合、例えば、ガイド板がガイド位置に移動されるのを待ち、この後、ガイド板がガイド停止位置に戻されると同時に開閉板を閉じ位置に戻すといったことや、予め定められた時間が経過する毎に抽選を行って、この抽選でハズレであった場合に、開閉板を閉じ位置に戻すなどといったことが考えられる。
【００２９】
さらに、第１当たり抽選に当選した際にガイド板をガイド位置へ移動させ、第２当たり抽選に当選した際に開閉板を開き位置へ移動させる例で説明をしたが、第１当たり抽選に当選した際に開閉板を開き位置へ移動させ、第２当たり抽選に当選した際にガイド板をガイド位置に移動させてもよい。
【００３０】
また、図６に示すように、上方に開口部を向けた大入賞口６０を設けるとともに、大入賞口６０の上方に、大入賞口６０への入賞を阻止する阻止位置（図６に破線で示す位置）と、大入賞口６０への入賞を許容する許容位置（図６に実線で示す位置）との間で前後にスライド自在の第１、第２移動部材６２、６４を設け、第１当たり抽選に当選した場合に第１移動部材６２を許容位置へ移動させ、第２当たり抽選に当選した場合に第２移動部材６４を許容位置に移動させてもよい。本例では、第１、第２移動部材６２、６４の両方ともが大入賞口６０の上面に形成された開口とほぼ同じ大きさに形成されており、第１、第２移動部材の両方が許容位置へ移動した場合にのみ、遊技球が大入賞口６０へ入賞可能となる。なお、図６以降の図面を用いた説明では、上述した実施形態と同様の部材については同様の符号を付して説明を省略している。
【００３１】
さらに、図７に示すように、大入賞口７０への入賞を阻止する阻止位置（図７に破線で示す位置）と、大入賞口７０への入賞を許容する許容位置（図７に実線で示す位置）との間で左右にスライド自在の第１、第２移動部材７２、７４を設け、第１当たり抽選に当選した場合に第１移動部材７２を許容位置へ移動させ、第２当たり抽選に当選した場合に第２移動部材７４を許容位置に移動させてもよい。本例においても、第１、第２移動部材７２、７４の両方ともが大入賞口７０の上面に形成された開口とほぼ同じ大きさに形成されており、第１、第２移動部材７２、７４の両方が許容位置へ移動した場合にのみ、遊技球が大入賞口７０へ入賞可能となる。
【００３２】
また、図８に示すように、大入賞口８０への入賞を阻止する阻止位置（図８に破線で示す位置）と、大入賞口８０への入賞を許容する許容位置（図８に実線で示す位置）との間で左右にスライド自在の第１、第２移動部材８２、８４を設け、第１当たり抽選に当選した場合に第１移動部材８２を許容位置へ移動させ、第２当たり抽選に当選した場合に第２移動部材８４を許容位置に移動させてもよい。本例では、第１移動部材８２が阻止位置に移動されると、大入賞口８０の半分が覆われ、第２移動部材８４が阻止位置に移動されると大入賞口８０の残り半分が覆われるようになっている。これにより、本例では、第１、第２当たり抽選のいずれか一方にのみ当選した場合も、遊技球を大入賞口８０に入賞させることができる。
【００３３】
さらに、図９に示すように、大入賞口９０への入賞を阻止する阻止位置（図９に破線で示す位置）と、大入賞口９０への入賞を許容する許容位置（図９に実線で示す位置）との間で左右に回動自在の第１、第２移動部材９２、９４を設け、第１当たり抽選に当選した場合に第１移動部材９２を許容位置へ移動させ、第２当たり抽選に当選した場合に第２移動部材９４を許容位置に移動させてもよい。本例においても、第１移動部材９２が阻止位置に移動されると、大入賞口９０の半分が覆われ、第２移動部材９４が阻止位置に移動されると大入賞口９０の残り半分が覆われるようになっており、第１、第２当たり抽選のいずれか一方にのみ当選した場合も、遊技球を大入賞口９０に入賞させることができる。
【図面の簡単な説明】
【００３４】
【図１】パチンコ機の正面図である。
【図２】ガイド板と開閉板の動きを示す説明図である。
【図３】パチンコ機の電気的構成の概略を示す図である。
【図４】ガイド板の移動を制御する制御手順を示すフローチャートである。
【図５】開閉板の移動を制御する制御手順を示すフローチャートである。
【図６】第１移動部材と第２移動部材の動きを示す説明図である。
【図７】第１移動部材と第２移動部材の動きを示す説明図である。
【図８】第１移動部材と第２移動部材の動きを示す説明図である。
【図９】第１移動部材と第２移動部材の動きを示す説明図である。
【符号の説明】
【００３５】
１０  パチンコ機
１２  遊技盤
１４  遊技領域
１６  第１始動入賞口
１８  第２始動入賞口
２２、６０、７０、８０、９０  大入賞口
２３、２４  可動片
３０  ガイド板（第１移動部材）
３２  開閉板（第２移動部材）
４０  制御部
５５  ガイド板制御部（第１移動部材制御手段）
５６  開閉板制御部（第２移動部材制御手段）
５７  第１当たり抽選部（第１当たり抽選手段）
５８  第２当たり抽選部（第２当たり抽選手段）
６２、７２、８２、９２  第１移動部材
６４、７４、８４、９４  第２移動部材
【図１】
2009225907.tif 000003
【図２】
2009225907.tif 000004
【図３】
2009225907.tif 000005
【図４】
2009225907.tif 000006
【図５】
2009225907.tif 000007
【図６】
2009225907.tif 000008
【図７】
2009225907.tif 000009
【図８】
2009225907.tif 000010
【図９】
2009225907.tif 000011